(57)【要約】【課題】電話帳データを記憶する領域を二つ有し、一方を一時保存用電話帳データベースとすることにより電話帳データの分散管理を行い、電話帳データを一定期間だけ一時的に保存することで、高いセキュリティを有することが出来る携帯端末、電話帳データ管理方法及び電話帳データ管理システムを提供する。【解決手段】Bluetoothによる外部接続機能を有する携帯電話にて、外部から送信される電話帳データを一時的に保存する電話帳データ保存領域を設け、同領域への電話帳データの保存をBluetoothによる外部接続機器認証が行われている間のみ保存し、同領域の電話帳データを通常の電話帳データを保存する領域と一緒に管理することを許容し、該当機器とのBluetoothによる外部接続機器認証が切断された時点で前述の電話帳データ一時保存領域に保存された電話帳データを削除する。【選択図】図１０
2008252606.tif 000002
【特許請求の範囲】
【請求項１】
少なくとも氏名及び電話番号のデータを含む電話帳データを記憶する第１の記憶手段と、移動通信通信網により通信を行う第１の通信手段と、を備える携帯端末であって、
前記移動通信回線網と異なる通信回線網により通信を行う第２の通信手段と、
前記第２の通信手段から受信した電話帳データを記憶する第２の記憶手段と、を備え、
前記第２の記憶手段に記憶された電話帳データは、所定の条件になるまで、前記携帯端末の電話帳データとして利用され、前記所定の条件になった場合は削除されることを特徴とする携帯端末。
【請求項２】
前記第２の通信手段による通信先の端末のBluetooth接続状態を確認する接続確認手段を備え、
前記第２の通信手段は、Bluetoothの通信を経由して電話帳データを受信し、
前記所定の条件は、前記接続確認手段により前記通信先の端末のBluetooth接続が確認できないと判断された場合であることを特徴とする請求項１記載の携帯端末。
【請求項３】
前記携帯端末のタイマにより、前記第２の通信手段で受信した電話帳データを前記第２の記憶手段に記憶している時間を監視する電話帳データ一時共有監視手段を備え、
前記第２の通信手段は、赤外線通信を経由して電話帳データを受信し、
前記所定の条件は、前記電話帳データ一時共有監視手段により一定の時間が経過した場合であることを特徴とする請求項１又は２記載の携帯端末。
【請求項４】
少なくとも氏名及び電話番号のデータを含む電話帳データを記憶する第１の記憶手段と、移動通信通信網により通信を行う第１の通信手段と、を備える携帯端末が利用する電話帳データの管理方法であって、
前記移動通信回線網と異なる通信回線網である第２の通信手段により通信を行うステップと、
前記第２の通信手段により通信を行うステップにより受信した電話帳データを第２の記憶手段に記憶するステップと、
前記第２の通信手段により通信を行うステップにより受信した電話帳データは、所定の条件になるまで、前記携帯端末の電話帳データとして利用され、前記所定の条件になった場合は削除されるステップと、を備えることを特徴とする電話帳データ管理方法。
【請求項５】
前記第２の通信手段により通信を行うステップは、Bluetoothにより通信を行い、
通信先の端末のBluetooth接続状態を確認するステップを備え、
前記所定の条件は、前記Bluetooth接続状態を確認するステップにより、前記通信先の端末のBluetooth接続が確認できないと判断された場合であることを特徴とする請求項４記載の携帯端末。
【請求項６】
前記携帯端末のタイマにより、前記第２の通信手段により通信を行うステップにより受信した電話帳データを、前記第２の記憶手段に記憶している時間を監視するステップを備え、
前記第２の通信手段により通信を行うステップは、赤外線通信を行い、
前記所定の条件は、前記監視するステップにより一定の時間が経過した場合であることを特徴とする請求項４又は５記載の携帯端末。
【請求項７】
携帯端末と、端末とが、移動通信回線網と異なる通信回線網で接続されている電話帳データ管理システムであって、
前記端末は、
少なくとも氏名及び電話番号のデータを含む電話帳データを記憶する記憶手段と、
前記電話帳データを前記携帯端末に送信する送信手段と、を備え、
前記携帯端末は、
少なくとも氏名及び電話番号のデータを含む電話帳データを記憶する第１の記憶手段と、
移動通信通信網により通信を行う第１の通信手段と、
前記移動通信回線網と異なる通信回線網により通信を行う第２の通信手段と、
前記第２の通信手段により接続した前記端末から受信した電話帳データを記憶する第２の記憶手段と、を備え、
前記第２の記憶手段に記憶された電話帳データは、所定の条件になるまで、前記携帯端末の電話帳データとして利用され、前記所定の条件になった場合は削除されることを特徴とする電話帳データ管理システム。
【発明の詳細な説明】
【技術分野】
【０００１】
本発明は、携帯端末、電話帳データ管理方法及び電話帳データ管理システムに関し、特に電話帳データの分散管理を行う携帯端末、電話帳データ管理方法及び電話帳データ管理システムに関する。
【背景技術】
【０００２】
昨今急速に普及している携帯端末は、少なくとも氏名と電話番号のデータを記憶する電話帳データベースを有している。電話帳に新規登録する際は、氏名及び電話番号の入力が必要だが、入力に時間がかかり、ユーザの負担となっていた。そこで、携帯端末が備える通信手段を用いて電話帳データを受信し、自己が有する電話帳データベースに保管する技術が提案されている。また、電話帳データ等のファイル共有が可能な携帯端末において、友人や職場同僚等ユーザが希望する特定の通信相手に対してのみファイル共有するため、自己のＩＰアドレスを含んだショートメッセージサービスを用い、ファイル共有許可の要否の問い合せを表示することを特徴とする携帯電話装置が提案されている（例えば特許文献１参照）。
【特許文献１】特開２００６−１４０７９０号公報
【発明の開示】
【発明が解決しようとする課題】
【０００３】
しかしながら、上記のような技術では、電話帳データは全て１つの電話帳データベースに保管されることになっていた。すなわち、一台の携帯端末の電話帳データベースが記憶する電話帳データ量が、該携帯端末が使用可能となるデータ量であり、携帯端末の小型化が求められている昨今の状況から記憶容量の増加は見込めず、使用できる電話帳データに限界があるという問題が生じていた。
【０００４】
また、他の携帯端末が有する電話帳データを、該携帯端末に転送した場合、該携帯端末が管理する電話帳データベースが１種類しかないため全ての電話帳データが同じ記憶領域に保存されてしまい、前記他の携帯電話から転送された電話帳データを即座に消去出来ず、例えば臨時で必要とされた電話帳データであり、やむなく転送したデータ等今後使用可能性のない電話帳データが増加し、記憶容量がさらに無くなるという問題があった。消去することが可能だとしても、再度かかる電話帳データをデータベースから検索し、削除の処理を行うという負担が生じる。また、他の携帯端末が有する電話帳データを該携帯端末に保存したままで、消去しないでいることは、セキュリティ面において情報漏えい等の問題が危惧されていた。
【０００５】
本発明はこのような状況に鑑みてなされたものであり、電話帳データの保存を分散して行い、電話帳データを一定期間だけ一時的に保存することで、高いセキュリティを有することができることを目的とする。
【課題を解決するための手段】
【０００６】
請求項１記載の発明は、少なくとも氏名及び電話番号のデータを含む電話帳データを記憶する第１の記憶手段と、移動通信通信網により通信を行う第１の通信手段と、を備える携帯端末であって、前記移動通信回線網と異なる通信回線網により通信を行う第２の通信手段と、前記第２の通信手段から受信した電話帳データを記憶する第２の記憶手段と、を備え、前記第２の記憶手段に記憶された電話帳データは、所定の条件になるまで、前記携帯端末の電話帳データとして利用され、前記所定の条件になった場合は削除されることを特徴とする携帯端末である。
【０００７】
請求項２記載の発明は、請求項１記載の携帯端末において、前記第２の通信手段による通信先の端末のBluetooth接続状態を確認する接続確認手段を備え、前記第２の通信手段は、Bluetoothの通信を経由して電話帳データを受信し、前記所定の条件は、前記接続確認手段により前記通信先の端末のBluetooth接続が確認できないと判断された場合であることを特徴とする。
【０００８】
請求項３記載の発明は、請求項１又は２記載の携帯端末において、前記携帯端末のタイマにより、前記第２の通信手段で受信した電話帳データを前記第２の記憶手段に記憶している時間を監視する電話帳データ一時共有監視手段を備え、前記第２の通信手段は、赤外線通信を経由して電話帳データを受信し、前記所定の条件は、前記電話帳データ一時共有監視手段により一定の時間が経過した場合であることを特徴とする。
【０００９】
請求項４記載の発明は、少なくとも氏名及び電話番号のデータを含む電話帳データを記憶する第１の記憶手段と、移動通信通信網により通信を行う第１の通信手段と、を備える携帯端末が利用する電話帳データの管理方法であって、前記移動通信回線網と異なる通信回線網である第２の通信手段により通信を行うステップと、前記第２の通信手段により通信を行うステップにより受信した電話帳データを第２の記憶手段に記憶するステップと、前記第２の通信手段により通信を行うステップにより受信した電話帳データは、所定の条件になるまで、前記携帯端末の電話帳データとして利用され、前記所定の条件になった場合は削除されるステップと、を備えることを特徴とする電話帳データ管理方法である。
【００１０】
請求項５記載の発明は、請求項４記載の携帯端末において、前記第２の通信手段により通信を行うステップは、Bluetoothにより通信を行い、通信先の端末のBluetooth接続状態を確認するステップを備え、前記所定の条件は、前記Bluetooth接続状態を確認するステップにより、前記通信先の端末のBluetooth接続が確認できないと判断された場合であることを特徴とする。
【００１１】
請求項６記載の発明は、請求項４又は５記載の携帯端末において、前記携帯端末のタイマにより、前記第２の通信手段により通信を行うステップにより受信した電話帳データを、前記第２の記憶手段に記憶している時間を監視するステップを備え、前記第２の通信手段により通信を行うステップは、赤外線通信を行い、前記所定の条件は、前記監視するステップにより一定の時間が経過した場合であることを特徴とする。
【００１２】
請求項７記載の発明は、携帯端末と、端末とが、移動通信回線網と異なる通信回線網で接続されている電話帳データ管理システムであって、前記端末は、少なくとも氏名及び電話番号のデータを含む電話帳データを記憶する記憶手段と、前記電話帳データを前記携帯端末に送信する送信手段と、を備え、前記携帯端末は、少なくとも氏名及び電話番号のデータを含む電話帳データを記憶する第１の記憶手段と、移動通信通信網により通信を行う第１の通信手段と、前記移動通信回線網と異なる通信回線網により通信を行う第２の通信手段と、前記第２の通信手段により接続した前記端末から受信した電話帳データを記憶する第２の記憶手段と、を備え、前記第２の記憶手段に記憶された電話帳データは、所定の条件になるまで、前記携帯端末の電話帳データとして利用され、前記所定の条件になった場合は削除されることを特徴とする電話帳データ管理システムである。
【発明の効果】
【００１３】
本発明によれば、電話帳データを記憶する領域を二つ有し、一方を一時保存用電話帳データベースとすることにより電話帳データの分散管理を行い、電話帳データを一定期間だけ一時的に保存することで、高いセキュリティを有することが出来る。
【発明を実施するための最良の形態】
【００１４】
以下に、本発明の実施形態に係る携帯端末、電話帳データ管理方法及び電話帳データ管理システムを、図面を用いて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。また、以下の実施形態では、携帯端末の一例として、携帯電話を用いて説明する。
【００１５】
図１は、本発明の実施形態に係る携帯電話１が、携帯電話２とデータ通信することを説明するための図である。図１を参照すると、ネットワークを介して携帯電話網に接続された携帯電話１は、同じくネットワークを介して携帯電話網に接続された携帯電話２と、近距離無線通信ネットワークを介して相互接続されている。本実施形態では、近距離無線通信ネットワークの一例であるBluetoothを備えた携帯電話を用いる。
【００１６】
図２は、本実施形態に係るBluetooth付き携帯電話のブロック構成図である。図２に示すように、本実施形態に係る携帯電話は、メイン通信用アンテナ２０と、メイン通信インタフェース２１と、メイン通信制御部２２と、外部ＩＦ制御部２３と、外部通信制御部２４と、外部通信インタフェース２５と、外部通信用アンテナ２６と、ＲＡＭ２７と、中央制御部２８と、電話帳アプリケーション２９と、周辺機器制御部３０と、ＲＯＭ３１と、操作部３２と、表示部３３と、を備える。特に本実施形態はＲＡＭ２７が、電話帳データベース２７１と、一時保存用電話帳データベース２７２と、から構成されることを特徴とする。
【００１７】
外部アンテナ２０は、図示しない基地局装置との間で電波を利用して情報通信を行う。メイン通信インタフェース２１は、メイン通信アンテナ２０を介して無線通信方式に応じた変復調等の通信処理を行う。メイン通信制御部２２は、メイン通信インタフェース２１を介して行われる通信の制御を行う。
【００１８】
外部通信用アンテナ２６は、図１における携帯電話２との間でBluetooth無線機等の近距離無線通信を利用して情報通信を行う。外部通信インタフェース２５は、外部通信用アンテナ２６を介して無線通信方式に応じた変復調等の通信処理を行う。外部通信制御部２４は、外部通信インタフェース２５を介して行われる通信の制御を行う。
【００１９】
周辺機器制御部３０は表示部３２や表示部３３等の周辺機器の動作を制御する。中央制御部(CPU)２８はＲＯＭ３１に格納される動作制御プログラムを読み出し、ＲＡＭ２７をワーク領域として用いることにより、携帯電話１を構成する各部の動作制御を司る。
【００２０】
ＲＡＭ２７は電話帳データベース２７１及び一時保存用電話帳データベース２７２を含み、電話帳アプリケーション２９動作時、同エリアのデータベースを用いることを可能とする。
【００２１】
次に、本実施形態に係る携帯電話の動作処理について図を用いて説明する。図３は、本実施形態に係る携帯電話１において、携帯電話２とBluetoothを介して接続してから、電話帳データを一時保存するまでの動作処理を示すフローチャートである。また、図４及び図５は、本実施形態に係る携帯電話１の各処理ステップにおける携帯電話２との通信状況等を説明するための図である。
【００２２】
まず、本実施形態に係るBluetooth付き携帯電話１とBluetooth付き携帯電話２にてBluetoothを介して外部接続機器認識機能により接続する（図３  ステップＳ１）。図４は、本実施形態に係る携帯電話１と携帯電話２とが、Bluetoothを介して接続していることを説明するための図である。
【００２３】
次に、Bluetoothの通信を介し、携帯電話２から電話帳データを受信する（ステップＳ２）。携帯電話１では、携帯電話２から送信された電話帳データを「接続中の携帯電話２のデータとして一時保存しますか？」と表示部３３にてユーザに確認する表示を行う（ステップＳ３）。ユーザが操作部３２にて一時保存を許可した場合（ステップＳ４／Ｙｅｓ）、一時保存用電話帳データベース２７２に電話帳データを保存する（ステップＳ５）。図５は、上記ステップＳ２からＳ５の処理を説明するための図である。
【００２４】
次に、本発明の実施形態に係る携帯電話１に対し着信があった場合について説明する。図６は、本実施形態に係る携帯電話１に対し着信があった際の動作処理を示すフローチャートである。携帯電話１は、携帯電話網を介し携帯電話１に対し着信があった場合（図６  ステップＳ６／Ｙｅｓ）、一時保存用電話帳データベース２７２並びに電話帳データベース２７１から該当する電話番号を含む電話帳データがあるか検索し（ステップＳ７）、着信元の電話番号と一致する電話番号があった場合（ステップＳ８／Ｙｅｓ）、該当する電話帳データを用いて着信表示を行う（ステップＳ９）。
【００２５】
該当する電話帳データが、一時保存用電話帳データベース２７２にあった場合は、すなわち携帯電話１は一時保存した携帯電話２の電話帳データを自己の電話帳データベースとして利用していると言える。
【００２６】
上記実施形態により、一台の携帯電話（携帯電話１）にて複数の携帯電話（携帯電話１及び携帯電話２）の電話帳データを共有できる。
【００２７】
なお、携帯電話２のみでなく、複数の携帯電話と接続することも考え得る。
【００２８】
図７は、Bluetoothで携帯電話２と接続中に、携帯電話１が一時保存した電話帳データベースを利用していることを説明するための図である。
【００２９】
次に、本発明の実施形態に係る携帯電話１が、携帯電話２とのBluetooth接続が切断された場合の動作処理を説明する。図８は、本発明の実施形態に係る携帯電話１が、携帯電話２とのBluetooth接続が切断された場合の動作処理を示すフローチャートである。
【００３０】
携帯電話１と携帯電話２にてBluetoothを介した外部接続機器認識機能による接続が切断されると（ステップＳ１０／Ｙｅｓ）、携帯電話１は一時保存用電話帳データベース２７２に保存していた携帯電話２の電話帳データを削除する（ステップＳ１１）。図９は、本実施形態に係る携帯電話１と携帯電話２のBluetooth接続が切断したことを説明するための図である。
【００３１】
上記実施形態により、携帯電話１は、Bluetoothの機器認証期機能により、他の携帯電話が接続されている間のみ、かかる他の携帯電話の電話帳データを一時保存領域に保存し、該接続期間のみ携帯電話１の主記憶装置（ＲＡＭ２７）に保存された携帯電話１自身の電話帳データとして利用することができ、Bluetoothの機器認証期機能にて他の携帯電話が接続されていないと判断した時点で一時保存領域の他携帯電話の電話帳データを削除するため、一台の携帯電話にて特定の条件が揃っている場合のみ他の携帯電話の電話帳データを共有することが可能となる。
【００３２】
図１０は、本発明の実施形態に係る携帯電話１の動作処理を示すシーケンス図である。図１０において、携帯電話１はBluetooth接続中に（図１０  Step:15）、携帯電話２より携帯電話２の電話帳データをBluetoothの通信を介して受信し（Step:16）、携帯電話１内部の一時保存用電話帳データベース２７２に保存する（Step:17）。
【００３３】
携帯電話２はこの状態で携帯電話網から着信があった場合（Step:18）、携帯電話１の電話帳データを保存した電話帳データベース２７１及び、携帯電話２の電話帳データベースを保存した一時保存用電話帳データベース２７２を用いて、着信元の検索処理を行う（Step:19）。
【００３４】
なお、携帯電話１はその後、携帯電話２とのBluetooth接続が切断されると（Step:20）、一時保存用電話帳データベース２７２内の携帯電話２の電話帳データを削除する（Step:21）。したがって、その後携帯電話１に着信があった場合は（Step:22）、携帯電話１の電話帳データベースのみを検索し、着信表示を行う（Step:23）。携帯電話２の電話帳データベースは削除されているためである。
【００３５】
上記実施形態により、携帯電話１はBluetoothを介して携帯電話２と接続でき、Bluetoothを介して携帯電話２と外部接続機器認識機能により接続が認識されている間のみ携帯電話２の電話帳データを一時保存用電話帳データベース２７２に保存できるため、携帯電話１は携帯電話２とBluetoothを介して接続している間のみ携帯電話１は携帯電話２の電話帳データを一時的に共有することができる。
【００３６】
また、携帯電話１が携帯電話２とのBluetoothを介した接続が切断された時点で一時保存用電話帳データベース２７２から携帯電話２の電話帳データを削除するため、携帯電話１は電話帳データを分散して管理することが可能となる。
【００３７】
なお、複数の携帯電話と接続している場合は、一時保存用電話帳データベース２７２において携帯電話２の電話帳データベースは削除したとしても他の未だ接続している携帯電話の電話帳データベースを一時保存しているため、電話帳データベース２７１のみでなく、一時保存用電話帳データベース２７２内も検索し、着信表示に用いることが出来る。
【００３８】
次に、本発明の他の実施形態について説明する。本実施形態に係る携帯電話１は、赤外線通信を介して携帯電話２から電話帳データを受信することを特徴とする。図１１は、本実施形態に係る携帯電話１と携帯電話２が、赤外線通信を行っていることを説明するための図である。
【００３９】
図１１に示すように、携帯電話１は携帯電話２より電話帳データを赤外線通信を介して受信し、携帯電話１内部の一時保存用電話帳データベース２７２に保存する。また携帯電話２はこの状態で携帯電話網から着信があった場合、電話帳データベース２７１及び、一時保存用電話帳データベース２７２を用いて着信元の検索を行う。
【００４０】
なお携帯電話１はその後、携帯電話１が備える時間監視制御部（図示せず）により指定した時間が経過すると、一時保存用電話帳データベース２７２内の携帯電話２の電話帳データを削除する。
【００４１】
この他、本発明は、接続する相手が携帯電話でないコンピュータや固定電話など共通した電話帳データ構造を持つBluetoothを搭載した機器との間での電話帳データの共有及び分散管理といった用途にも適用可能である。
【００４２】
なお、本発明は電話帳データの送信元がBluetoothを搭載せずとも、赤外線通信やメールなどの通信機能を有し、携帯電話と共通した電話帳データ構造を有する機器との間の電話帳データの共有及び分散管理といった用途にも適用可能である。
【００４３】
各フローチャート、シーケンスに示す処理を、ＣＰＵ（中央制御部）が実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００４４】
以上、本発明を好適な実施の形態に基づき具体的に説明したが、本発明は上記のものに限定されるものではなく、その要旨を逸脱しない範囲で種々変更可能であることは言うまでもない。
【図面の簡単な説明】
【００４５】
【図１】本発明の実施形態に係る携帯電話１が、携帯電話２とデータ通信することを説明するための図である。
【図２】本発明の実施形態に係る携帯電話１に係るブロック構成図である。
【図３】本発明の実施形態に係る携帯電話１において、携帯電話２とBluetoothを介して接続してから、電話帳データを一時保存するまでの動作処理を示すフローチャートである。
【図４】本発明の実施形態に係る携帯電話１と携帯電話２とが、Bluetoothを介して接続していることを説明するための図である。
【図５】図４のステップＳ２からＳ５の処理を説明するための図である。
【図６】本発明の実施形態に係る携帯電話１に対し着信があった際の動作処理を示すフローチャートである。
【図７】本発明の実施形態に係る携帯電話１が、Bluetoothで携帯電話２と接続中に、携帯電話１が一時保存した電話帳データベースを利用していることを説明するための図である。
【図８】本発明の実施形態に係る携帯電話１が、携帯電話２とのBluetooth接続が切断された場合の動作処理を示すフローチャートである。
【図９】本発明の実施形態に係る携帯電話１と携帯電話２のBluetooth接続が切断したことを説明するための図である。
【図１０】本発明の実施形態に係る携帯電話１の動作処理を示すシーケンス図である。
【図１１】本発明の実施形態に係る携帯電話１と携帯電話２が、赤外線通信を行っていることを説明するための図である。
【符号の説明】
【００４６】
２０    メイン通信用アンテナ
２１    メイン通信インタフェース
２２    メイン通信制御部
２３    外部ＩＦ制御部
２４    外部通信制御部
２５    外部通信インタフェース
２６    外部通信用アンテナ
２７    ＲＡＭ
２８    中央制御部
２９    電話帳アプリケーション
３０    周辺機器制御部
３１    ＲＯＭ
３２    操作部
３３    表示部
２７１    電話帳データベース
２７２    一時保存用電話帳データベース
【図１】
2008252606.tif 000003
【図２】
2008252606.tif 000004
【図３】
2008252606.tif 000005
【図４】
2008252606.tif 000006
【図５】
2008252606.tif 000007
【図６】
2008252606.tif 000008
【図７】
2008252606.tif 000009
【図８】
2008252606.tif 000010
【図９】
2008252606.tif 000011
【図１０】
2008252606.tif 000012
【図１１】
2008252606.tif 000013